(57)【要約】【課題】対象商品や展示形態の変化に合わせて、電子画像表示装置や非接触ＩＣリーダの取り付け位置の変更を容易に行え、かつ、最適な内容の広告表示パネルを適宜具備することのできる広告表示体を提供すること。【解決手段】前面板を有し、該前面板に電子画像表示装置と非接触ＩＣリーダを取り付けた広告表示体であって、該前面板に前記電子画像表示装置と前記非接触ＩＣリーダを保持するための保持手段を有し、該前面板の表面に文字及び／又は画像を有する着脱可能な広告表示パネルを具備してなり、該広告表示パネルに電子画像表示装置用窓部を有する。【選択図】図２
2010060785.tif 000002
【特許請求の範囲】
【請求項１】
前面板を有し、該前面板に電子画像表示装置と非接触ＩＣリーダを取り付けた広告表示体であって、該前面板に前記電子画像表示装置と前記非接触ＩＣリーダを保持するための保持手段を有し、該前面板の表面に文字及び／又は画像を有する着脱可能な広告表示パネルを具備してなり、該広告表示パネルに電子画像表示装置用窓部を有することを特徴とする広告表示体。
【請求項２】
前記前面板の保持手段として複数の穴部を有し、前記非接触ＩＣリーダが非接触ＩＣリーダ用ホルダーに保持され、該非接触ＩＣリーダ用ホルダーに設けた連結用突起と前記穴部とが連結して固定してなることを特徴とする請求項１記載の広告表示体。
【請求項３】
前記前面板の保持手段として複数の穴部を有し、前記電子画像表示装置が電子画像表示装置用ホルダーに保持され、該電子画像表示装置用ホルダーに設けた連結用突起と前記穴部とが連結して固定してなることを特徴とする請求項１又は２記載の広告表示体。
【請求項４】
前記広告表示パネルに、非接触ＩＣリーダ用窓部を有することを特徴とする請求項１〜３のいずれかに記載の広告表示体。
【請求項５】
前記広告表示パネルに、非接触ＩＣ案内用表示を有し、該非接触ＩＣ案内用表示が前記前面板に取り付けた非接触ＩＣリーダに対応する位置に有することを特徴とする請求項１〜４のいずれかに記載の広告表示体。
【発明の詳細な説明】
【技術分野】
【０００１】
本発明は、店頭等において商品等の広告表示を行う広告表示体に関する。
【背景技術】
【０００２】
店頭等において商品等の広告表示を行う広告表示体として、従来より、看板やフラッグ、種々の動作を組み込んだ可動ディスプレイ等がアイキャッチディスプレイとして広く利用されている。
【０００３】
また、最近では、広告表示プレート内にテレビ受像機等の電子画像表示装置を組み込んで、テレビ放送画像を放映したり、蓄積型の電子画像を静止画や動画で表示する広告表示体も多く利用されるようになっている。（特許文献１参照）。
【０００４】
さらに近年は、非接触ＩＣカードや一部の携帯電話等に搭載された非接触ＩＣの情報を読み取り管理することの可能な非接触ＩＣリーダを広告表示体に組み込むことにより、広告対象に関する顧客からのアクセスを可能にしたり、顧客への個別情報の提供を行えるようにした高機能タイプの広告表示体も提案されている。
【０００５】
広告表示体は、上述のように、種々の表示手段を単独で使うことができるだけでなく、それらを組み合わせて、さらに多くの機能と利便性を生み出すことも試みられている。
【特許文献１】特許第２９２１３６１号公報
【発明の開示】
【発明が解決しようとする課題】
【０００６】
広告表示体の前面板に前記電子画像表示装置と前記非接触ＩＣリーダを取り付ける場合に、それらの取り付け手段は一定ではなく、個々の広告表示体毎に工夫されていた。さらに文字及び／又は画像を印刷物等で表示する広告表示パネルを前面板の表面に重ね合わせる形態も個々の広告表示体毎に工夫されていた。
【０００７】
近年、広告表示体の対象商品や展示形態が拡大する一方、広告表示体を製作するための時間と費用を圧縮することが要請されている。そのため、対象商品や展示形態の変化により、前記電子画像表示装置や前記非接触ＩＣリーダの取り付け位置を変更したり、前面板の表面に重ね合わせて設置される前記広告表示パネルの内容を変更したりすることに手間取ることは問題であった。
【０００８】
本発明は、上記の問題を解決することを目的とし、その課題とするところは、対象商品や展示形態の変化に合わせて、電子画像表示装置や非接触ＩＣリーダの取り付け位置の変更を容易に行え、かつ、最適な内容の広告表示パネルを適宜具備することのできる広告表示体を提供することである。
【課題を解決するための手段】
【０００９】
請求項１に記載の発明は、前面板を有し、該前面板に電子画像表示装置と非接触ＩＣリーダを取り付けた広告表示体であって、該前面板に前記電子画像表示装置と前記非接触ＩＣリーダを保持するための保持手段を有し、該前面板の表面に文字及び／又は画像を有する着脱可能な広告表示パネルを具備してなり、該広告表示パネルに電子画像表示装置用窓部を有することを特徴とする広告表示体である。
【００１０】
請求項２に記載の発明は、前記前面板の保持手段として複数の穴部を有し、前記非接触
ＩＣリーダが非接触ＩＣリーダ用ホルダーに保持され、該非接触ＩＣリーダ用ホルダーに設けた連結用突起と前記穴部とが連結して固定してなることを特徴とする請求項１記載の広告表示体である。
【００１１】
請求項３に記載の発明は、前記前面板の保持手段として複数の穴部を有し、前記電子画像表示装置が電子画像表示装置用ホルダーに保持され、該電子画像表示装置用ホルダーに設けた連結用突起と前記穴部とが連結して固定してなることを特徴とする請求項１又は２記載の広告表示体である。
【００１２】
請求項４に記載の発明は、前記広告表示パネルに、非接触ＩＣリーダ用窓部を有することを特徴とする請求項１〜３のいずれかに記載の広告表示体である。
【００１３】
請求項５に記載の発明は、前記広告表示パネルに、非接触ＩＣ案内用表示を有し、該非接触ＩＣ案内用表示が前記前面板に取り付けた非接触ＩＣリーダに対応する位置に有することを特徴とする請求項１〜４のいずれかに記載の広告表示体である。
【発明の効果】
【００１４】
本発明の広告表示体によれば、電子画像表示装置や非接触ＩＣリーダの取り付けを、前面板に予め設けた共通の保持手段の中から任意に選択することにより、容易に行える。また、広告表示パネルを前面板に対して着脱可能とし、しかも前面板に取り付けた電子画像表示装置に対して電子画像表示装置用窓部を広告表示パネルに有するので、適合性の良い広告表示パネルを自由に取り替えて使用することができる。
【００１５】
また、本発明の広告表示体によれば、前面板を取り替えることなく、対象商品や展示形態の変化に合わせて、非接触ＩＣリーダの取り付け位置の変更を容易に行える。
【００１６】
また、本発明の広告表示体によれば、前面板を取り替えることなく、対象商品や展示形態の変化に合わせて、電子画像表示装置の取り付け位置の変更を容易に行える。
【００１７】
また、本発明の広告表示体によれば、最外部に取り付ける広告表示パネルに非接触ＩＣリーダ用窓部や非接触ＩＣ案内用表示を設けることにより、非接触ＩＣリーダの取り付け位置を最外部の広告表示パネル面から容易に判別できるので、さらに用途に適した広告表示パネルを具備することができる。
【発明を実施するための最良の形態】
【００１８】
本発明の実施形態について、以下、図面に従って説明する。
【００１９】
図１は、本発明による広告表示体の内、広告表示パネルを除いた部分の構造を模式的に示す概念図である。また、図２は、本発明による広告表示体の広告表示パネルを含む全体構成の一例を模式的に示す概念図である。広告表示体の全体の形態を示す構造は、台座部１、前面板２、側面部３、上面部４、から成る、広告表示体から広告表示パネルを除いた部分５に広告表示パネル１０を重ねた構造である。図２の広告表示パネル１０は、説明の都合上、広告表示体から広告表示パネルを除いた部分５とはずらした位置に表しているが、使用時には、前面板２と重なる位置に設置される。また、前面板２と広告表示パネル１０以外の台座部１、側面部３、上面部４は、場合により、省略可能であり、前面板２と広告表示パネル１０を特別のフレーム（図示せず）に固定する構造とすることも可能である。
【００２０】
前面板２には、電子画像表示装置６と非接触ＩＣリーダ７を取り付けるために、前面板に設けた保持手段を有する。保持手段は汎用的に利用できるようにできるだけ広範囲に用
意され、用意された保持手段の中から、取り付け対象の電子画像表示装置または非接触ＩＣリーダが必要とする任意の部分を随時利用できるようにする。本発明においては、前面板に設けた複数の穴部９から構成される。
【００２１】
図４に本発明の広告表示体の背面構造を説明するための概念図を示す。前面板２に設けた複数の各穴部９に、非接触ＩＣリーダ用ホルダー１７または電子画像表示装置用ホルダー１６に設けた連結用突起１８を連結して固定する。予め、穴部９の形成ピッチに合わせた連結用突起１８を各ホルダー１７、及び１６に設置しておき、多数の穴部９の中で、広告表示体に最適の位置を考慮して、連結用突起１８を挿入する。連結用突起１８は各ホルダー１７、及び１６と同一の素材で、例えば金属や樹脂で形成できるが、穴部９との嵌め合わせと強度バランスを最適にするように、自由に選ぶこともできる。固定方法は種々可能であり、嵌め込みのみの簡便な方法もあるが、例えば、連結用突起１８を挿入後に、突起の先端部近傍に固定キャップや固定ピンを用いて固定しても良い。
【００２２】
電子画像表示装置用ホルダー１６により保持される電子画像表示装置６の画像表示面は前面板２の前面に配置されなければならないが、ホルダーは前面板２の背面に設置し、背面のスペースを利用して電子画像表示装置本体部分の多くを収納することができる。その際、電子画像表示装置が分離不可能な構造であれば、前面板の一部を刳り貫く必要がある。また、電子画像表示装置が薄型の液晶表示モジュールを本体部分から分離可能な構造であれば、前面板２を挟んで両者を配置することも可能である。さらに、電子画像表示装置用ホルダー１６と電子画像表示装置６をすべて前面板２の前面に配置することも可能である。その場合は、電子画像表示装置用ホルダーに形成した連結用突起１８を図４の表示とは異なり、前面板２の前面側から穴部９に挿入する。
【００２３】
広告表示パネル１０は広告表示体の最外面にあって、訴求機能を最大に発揮すべき部分であり、さまざまな要素を盛り込むことが可能である。図２に示す電子画像表示装置用窓部１１は、広告表示パネル１０の人が見る側の裏側に設置される電子画像表示装置６の画面を透視するために必要であるとともに、電子画像表示装置６の前部を窓部から飛び出させることも可能とする。前者の機能に限定するのであれば、広告表示パネル１０の素材に透明材料を用いる場合は、素材自体が窓として機能するので、製作上は格別の工程を必要とはしない。窓以外の部分に各種の印刷物や付加部品を配置して光学的に遮蔽しても良い。例えば、文字及び／又は画像１３やリーフレットホルダー１４を配置できる。リーフレットホルダー１４は、広告表示パネル１０に引っ掛かり部分を設けたり、吸着性を付与することにより、着脱可能な構造にすることもできる。
【００２４】
また、非接触ＩＣリーダ７は電子画像表示装置６と異なり、機能面からは透視性を要求しないので、非接触ＩＣリーダ用窓部１２を広告表示パネル１０に設けることは必ずしも必然ではない。しかし、非接触ＩＣリーダの取り付け位置を最外部の広告表示パネル面から容易に判別できるように、または、非接触ＩＣリーダを広告表示パネル面から飛び出させる目的に対しては、非接触ＩＣリーダ用窓部１２を設けることができる。非接触ＩＣリーダ７の取り付け位置の他の明示手段として、図３に示すように、前面板２の非接触ＩＣリーダ７に対応する広告表示パネル１０の位置に非接触ＩＣ案内用表示１５を配置することができる。
【００２５】
図３は、本発明による広告表示体の広告表示パネルを含む全体構成の他の一例を模式的に示す概念図である。上述の非接触ＩＣリーダ７の取り付け位置の明示手段が図２に示す一例と異なるだけでなく、前面板２への非接触ＩＣリーダ７の取り付け位置そのものが異なる。また、広告表示パネル１０に配置する文字及び／又は画像１３やリーフレットホルダー１４の位置及び／又は内容の変化も広告表示体が対象とする商品や展示形態の変化に合わせて可能である。
【００２６】
実際の運用においては、上記の広告表示パネル１０を複数種類用意しておき、適宜差し替えることにより、広告表示体としての働きを切り換えて機能させることができる。その場合、容易に差し替えができるように、広告表示パネル１０は前面板２に着脱可能な構造とする。具体的には、スライド式、マグネット式、ピン留め、ネジ留め、ファスナー留め、ホック留め、フック掛け、その他、電子画像表示装置や非接触ＩＣリーダ等の周辺要素に影響を与えない内容であれば、一般に簡易的に着脱可能とする接合手段を随時選択できる。但し、広告表示パネル１０が前面板２と一定のギャップを有する構造の場合は、ギャップに相当する厚みを少なくとも接合部で補う必要がある。
【００２７】
また、本発明の広告表示体は、複数個連結して使用することも容易である。図５は、本発明による広告表示体の内、２個の連結タイプについて、広告表示パネルを除いた部分の構造を模式的に示す概念図である。広告表示パネルを除いた広告表示体の連結単位ユニット２０、２１が接続した状態を示しており、図示されていない広告表示パネルが各連結単位ユニット毎に取り付けられる。連結単位ユニットは２個に限定されるものではなく、さらに３個以上に増設していくこともでき、ますます多様な機能を広告表示体に付加していくことが可能である。
【００２８】
増設のための連結単位ユニット用接続部２２を予め側面部３に形成しておくことにより、追加の増設を適宜行うことができる。連結単位ユニット用接続部２２は、スライド式、マグネット式、ピン留め、ネジ留め、ファスナー留め、ホック留め、フック掛け、その他の手段の中から、接続の強度や取り外しの容易性を使用形態から判断して、選択すれば良い。必要により、接着剤等を用いた固定連結も可能である。
【００２９】
本発明の広告表示体を構成する主要な構造体は、各種の素材で製作することができる。広告表示パネル以外の比較的強度を要する部分には、金属、木材、樹脂等が用いられ、広告表示パネルのように軽量、薄型が望まれるものは、紙、樹脂等が多用されるが、これらに限定されるものではない。
【００３０】
本発明の広告表示体は、前面板に電子画像表示装置と非接触ＩＣリーダを取り付け、前面板に重ねて用いる広告表示パネルに各種の文字及び／又は画像から成る表示や窓部やリーフレットホルダーを設ける例について述べたが、これらの配置要素が上記のものに限定されないことは容易に考えられる。例えば、スピーカーを配置するためのスピーカー用ホルダーに連結用突起を設け、これを保持するための前面板の穴部に該連結用突起を連結し固定するなども容易に可能となる。また、広告表示パネルに写真等の貼り付け領域を設けて、表示手段を拡大するなどにより、応用範囲を広げることができる。
【図面の簡単な説明】
【００３１】
【図１】本発明による広告表示体の内、広告表示パネルを除いた部分の構造を模式的に示す概念図である。
【図２】本発明による広告表示体の全体構成の一例を模式的に示す概念図である。
【図３】本発明による広告表示体の全体構成の他の一例を模式的に示す概念図である。
【図４】本発明の広告表示体の背面構造を説明するための概念図である。
【図５】本発明による広告表示体の内、連結タイプについて、広告表示パネルを除いた部分の構造を模式的に示す概念図である。
【符号の説明】
【００３２】
１・・・台座部
２・・・前面板
３・・・側面部
４・・・上面部
５・・・広告表示体から広告表示パネルを除いた部分
６・・・電子画像表示装置
７・・・非接触ＩＣリーダ
９・・・穴部
１０・・・広告表示パネル
１１・・・電子画像表示装置用窓部
１２・・・非接触ＩＣリーダ用窓部
１３・・・文字及び／又は画像
１４・・・リーフレットホルダー
１５・・・非接触ＩＣ案内用表示
１６・・・電子画像表示装置用ホルダー
１７・・・非接触ＩＣリーダ用ホルダー
１８・・・連結用突起
２０，２１・・・広告表示パネルを除いた広告表示体の連結単位ユニット
２２・・・連結単位ユニット用接続部
【図１】
2010060785.tif 000003
【図２】
2010060785.tif 000004
【図３】
2010060785.tif 000005
【図４】
2010060785.tif 000006
【図５】
2010060785.tif 000007